(57)【要約】【課題】建物への損傷を最小化しながら、アンテナを安定的に支持できるアンテナ取付け構造物を提供する。【解決手段】アンテナ取付け構造物は、柵取付け部、柵取付け部の一端に垂直につながる柵密着部、柵取付け部の他端に垂直につながれ、柵密着部と平行な方向に配置され、柵壁の内側面に第１の接続手段を介して接続固定されるように構成した取付け延長部、及び、柵密着部に隣接して配置され、アンテナが結合するよう構成したアンテナ結合部を含む。【選択図】図１
2021530910.tif 000002
【特許請求の範囲】
【請求項１】
柵取付け部と、
前記柵取付け部の一端に垂直につながる柵密着部と、
前記柵取付け部の他端に垂直につながれ、前記柵密着部と平行な方向に配置され、柵壁の内側面に第１の接続手段を介して接続固定するように構成した取付け延長部と、
前記柵密着部に隣接して配置され、アンテナが結合するよう構成したアンテナ結合部とを含むことを特徴とするアンテナ取付け構造物。
【請求項２】
さらに前記アンテナの上端部に一端がつながる角度調整ワイヤ、及び、
前記角度調整ワイヤの長さの調整を介して前記アンテナの傾斜度を調整するように構成した角度調整部を含む請求項１に記載のアンテナ取付け構造物。
【請求項３】
前記角度調整部は、前記角度調整ワイヤのうち、前記アンテナの上端部につながる第１のワイヤに一端がつながれ、前記アンテナ取付け構造物につながる第２のワイヤに他端がつながるターンバックルであることを特徴とする請求項２に記載のアンテナ取付け構造物。
【請求項４】
前記角度調整部は、前記アンテナの上端部に一端がつながれ、前記角度調整ワイヤの他端領域が巻き取られるように構成した第１の巻取ローラであることを特徴とする請求項２に記載のアンテナ取付け構造物。
【請求項５】
前記角度調整部は、
前記アンテナの上端部に一端がつながれ、前記角度調整ワイヤの他端領域が巻き取られるように構成した第２の巻取ローラと、
前記第２の巻取ローラにつながったウォームギアと、
前記ウォームギヤと噛合するウォームとを含むことを特徴とする請求項２に記載のアンテナ取付け構造物。
【請求項６】
前記柵取付け部は、前記柵密着部につながる密着部接続体及び前記取付け延長部につながる延長部接続体を含み、
前記密着部接続体は、前記延長部接続体に前記密着部接続体の一領域が挿入され、前記密着部接続体の挿入程度に応じて前記柵取付け部の長さを調整することを特徴とする請求項１に記載のアンテナ取付け構造物。
【請求項７】
前記第１の接続手段の長さ調整または前記柵壁内側面に対する固定状態を変更することで、柵壁の内側面と前記取付け延長部との間の距離を調整することを特徴とする請求項１に記載のアンテナ取付け構造物。
【請求項８】
前記取付け延長部は、
さらに前記柵取付け部に垂直につながる垂直延長部と、
前記垂直延長部に垂直に結合し、前記第１の接続手段によって両端部が固定される第１の補助延長部とを含むことを特徴とする請求項７に記載のアンテナ取付け構造物。
【請求項９】
前記柵壁は地面に垂直な第１の領域及び前記第１の領域の端部に垂直であり、前記地面に水平な第２の領域を含む「く」字状であって、
さらに前記取付け延長部は、前記柵壁の前記第２の領域の下面に、第２の接続手段を介して接続固定されるように構成した第２の補助延長部を含むことを特徴とする請求項７に記載のアンテナ取付け構造物。
【請求項１０】
前記アンテナ結合部は、
下部結合体、及び、
前記下部結合体の上部領域に結合した上部結合体を含み、
前記下部結合体上に前記下部結合体の回転配置状態を調整するように前記下部結合体の外周面に沿って配置した１つ以上の第１のローテティング結合ホールを形成したことを特徴とする請求項１に記載のアンテナ取付け構造物。
【請求項１１】
前記上部結合体のうち、前記下部結合体に連結された領域には、前記アンテナの傾斜状態を調整するように構成した第２のローテティング結合ホールが形成されたことを特徴とする請求項１０に記載のアンテナ取付け構造物。
【請求項１２】
さらに前記角度調整ワイヤを取付けるように構成したワイヤ取付け部を含むことを特徴とする請求項２に記載のアンテナ取付け構造物。
【請求項１３】
前記アンテナは、前記柵密着部に平行な方向に延びるように配置することを特徴とする請求項１に記載のアンテナ取付け構造物。
【請求項１４】
さらに前記柵取付け部の下部に配置する取付けパネルを含む請求項１に記載のアンテナ取付け構造物。
【請求項１５】
請求項１のアンテナ取付け構造物が複数つながる接続構造物であって、隣接するそれぞれのアンテナ取付け構造物の前記柵取付け部につながれ、複数のアンテナ取付け構造物を固定する構造物接続体を含む接続構造物。
【発明の詳細な説明】
【技術分野】
【０００１】
本開示は、アンテナ取付け構造物に関する。          
【背景技術】
【０００２】
この部分に記述した内容は、単に本開示に関する背景情報を提供するに留まり、従来の技術を構成するものではない。
【０００３】
無線通信用のアンテナは、長い送受信距離を確保するために、周辺が開放された高い位置に設けるのが一般的である。これにより、アンテナは電柱、鉄塔、及び建物の屋上に主に設けられ、都心地域では、建物の屋上に設ける場合が多い。
【０００４】
一方、アンテナを建物の屋上に設ける場合は、アンテナを直立支持するためのポールを屋上に最初に設けられた後、ポール上にアンテナを固定及び設置する方式が主に用いられる。
【０００５】
この場合、ポールは建物の屋上の地面面にアンカーなどを利用して固定する、もしくは別の重量物に固定するのが一般的である。
【０００６】
ただし、ポールを建物の屋上の地面面に固定する場合、建物の屋上の地面面にかなり大きなサイズでポールを挿入するための打孔を施さなければならず、建物の損傷を伴うことになる。
【０００７】
一方、重量物を利用してポールを支持する場合、風が強い日には、ポール及び重量物が風によって倒れる状況が発生し得る。これにより、安全事故が発生したら、倒れたポール及び重量物を再び立て直す作業が煩わしい。
【０００８】
また、重量物上にポールを設ける場合は、重量物を建物の屋上まで移動させるために、別途のはしご車を利用しなければならないなど、設置の過程で困難さも伴う。
【０００９】
一方、多数のアンテナを多数のポールを用いて建物の屋上に審美的要素を考慮せずに設ける場合、建物の外観を阻害する原因にもなる。
【発明の概要】
【発明が解決しようとする課題】
【００１０】
そこで、本発明は、建物への損傷を最小化しながら、アンテナが安定的に支持されるアンテナ取付け構造物を提供することに主な目的がある。
【００１１】
また、本発明は、アンテナの設置状態を容易に調整できるアンテナ取付け構造物を提供することに主な目的がある。
【００１２】
また、本発明は、都心の美観及び建物の毀損を防止しながらも、アンテナ本来の機能を忠実に実行できるようにするアンテナ取付け構造物を提供することに主な目的がある。
【００１３】
また、本発明は、複数のアンテナ取付け構造物が審美的な利点を有しながらも安定的に設置された構造物接続体を提供することに主な目的がある。
【課題を解決するための手段】
【００１４】
本発明の一実施例によると、柵取付け部と、前記柵取付け部の一端に垂直につながる柵密着部と、前記柵取付け部の他端に垂直につながれ、前記柵密着部と平行な方向に配置されて柵壁の内側面に第１の接続手段を介して接続固定するように構成した取付け延長部、及び、前記柵密着部に隣接して配置され、アンテナが結合するように構成したアンテナ結合部と、を含むことを特徴とするアンテナ取付け構造物を提供する。
【００１５】
また、前記アンテナの上端部に一端がつながる角度調整ワイヤ、及び、前記角度調整ワイヤの長さ調整を通じて前記アンテナの傾斜度を調整するように構成した角度調整部をさらに含むアンテナ取付け構造物を提供する。
【００１６】
また、前記角度調整部は、前記角度調整ワイヤのうち、前記アンテナの上端部につながる第１のワイヤに一端がつながれ、前記アンテナ取付け構造物につながる第２のワイヤに他端がつながるターンバックルであることを特徴とするアンテナ取付け構造物を提供する。
【００１７】
また、前記角度調整部は、前記アンテナの上端部に一端がつながる前記角度調整ワイヤの他端領域が巻き取られるように構成した第１の巻取ローラであることを特徴とするアンテナ取付け構造物を提供する。
【００１８】
また、前記角度調整部は、前記アンテナの上端部に一端がつながる前記角度調整ワイヤの他端領域が巻き取られるように構成した第２の巻取りローラー、前記第２の巻取ローラにつながるウォームギア、及び、前記ウォームギアと噛合するウォームを含むことを特徴とするアンテナ取付け構造物を提供する。
【００１９】
また、前記柵取付け部は、前記柵密着部につながる密着部接続体、及び、前記取付け延長部につながる延長部接続体を含み、前記密着部接続体は、前記延長部接続体に１つの領域が挿入され、前記密着部接続体の挿入程度に応じて前記柵取付け部の長さを調整することを特徴とするアンテナ取付け構造物を提供する。
【００２０】
また、前記第１の接続手段の長さ調整又は前記柵壁内側面に対する固定状態を変更することにより、柵壁の内側面と前記取付け延長部との間の距離を調整することを特徴とするアンテナ取付け構造物を提供する。
【００２１】
また、前記取付け延長部は、前記柵取付け部に垂直につながる垂直延長部と、前記垂直延長部に垂直に結合し、前記第１の接続手段によって両端部を固定する第１の補助延長部をさらに含むことを特徴とするアンテナ取付け構造物を提供する。
【００２２】
また、前記柵壁は地面に垂直な第１の領域及び前記第１の領域の端部に垂直であり、前記地面に水平な第２の領域を含む「く」字状であって、前記取付け延長部は、前記柵壁の前記第２の領域の下面に第２の接続手段を介して接続固定するように構成した第２の補助延長部をさらに含むことを特徴とするアンテナ取付け構造物を提供する。
【００２３】
また、前記アンテナ結合部は下部結合体、及び、前記下部結合体の上部領域に結合した上部結合体を含み、前記下部結合体上には前記下部結合体の回転配置状態を調整するように前記下部結合体の外周面に沿って配置した１つ以上の第１のローテティング結合ホールを形成したことを特徴とするアンテナ取付け構造物を提供する。
【００２４】
また、前記上部結合体のうち、前記下部結合体につながる領域には、前記アンテナの傾斜状態を調整するように構成した第２のローテティング結合ホールを形成したことを特徴とするアンテナ取付け構造物を提供する。
【００２５】
また、前記角度調整ワイヤを取付けるように構成したワイヤ取付け部をさらに含むことを特徴とするアンテナ取付け構造物を提供する。
【００２６】
また、前記アンテナは、前記柵密着部に平行な方向に延びるように配置することを特徴とするアンテナ取付け構造物を提供する。
【００２７】
また、前記柵取付け部の下部に配置する取付けパネルをさらに含むアンテナ取付け構造物を提供する。
【００２８】
また、前記アンテナ取付け構造物が複数つながる接続構造物であって、隣接するそれぞれの前記アンテナ取付け構造物の前記柵取付け部につながれ、複数のアンテナ取付け構造物を固定する構造物接続体を含む接続構造物を提供する。
【図面の簡単な説明】
【００２９】
【図１】本発明の一実施例に係るアンテナ取付け構造物の構成を示す斜視図である。
【図２】図１のＡ領域を拡大した拡大斜視図である。
【図３】本発明の一実施例に係るアンテナ取付け構造物が柵壁上に設けられた状態を示す側面図である。
【図４】本発明の一実施例に係るアンテナ取付け構造物のアンテナ結合部の構成を説明するための斜視図である。
【図５】本発明の一実施例に係るアンテナ取付け構造物のアンテナ結合部の構成を説明するための側面図である。
【図６】本発明の一実施例に係るアンテナ取付け構造物の角度調整部が第１の形態である構成を示したものである。
【図７】本発明の一実施例に係るアンテナ取付け構造物の角度調整部が第２の形態である構成を示したものである。
【図８】本発明の一実施例に係るアンテナ取付け構造物の角度調整部が第３の形態である構成を示したものである。
【図９】本発明の一実施例に係るアンテナ取付け構造物を複数配置した接続構造物の形態を示すものである。
【図１０】本発明の他の実施例に係るアンテナ取付け構造物の構成を示す斜視図である。
【図１１】本発明の他の実施例に係るアンテナ取付け構造物のアンテナ結合部の構成を説明するための斜視図である。
【図１２】本発明の他の実施例に係るアンテナ取付け構造物を複数個配置した接続構造物の形態を説明するための図である。
【発明を実施するための形態】
【００３０】
以下、本発明の一部の実施例を例示的な図面を通じて詳しく説明する。各図面の構成要素に参照符号を付加することにおいて、同一の構成要素に対しては、たとえ他の図面上に表示されても、可能な限り同一の符号を有するようにしていることに留意しなければならない。また、本発明を説明するに当り、関連した公知の構成または機能についての具体的な説明が本発明の要旨を曖昧にすると判断した場合には、その詳しい説明は省く。
【００３１】
本発明に係る実施例の構成要素を説明するに当り、第１の、第２の、ｉ）、ｉｉ）、ａ）、ｂ）などの符号を使用する場合がある。このような符号は、その構成要素を他の構成要素と区別するためだけであり、その符号によって、該当構成要素の本質または順番や順序などが限定されない。明細書である部分がある構成要素を「含む」または「備える」とするとき、これは明示的に逆になる記載がない限り、他の構成要素を除外するのではなく、他の構成要素をさらに含み得ることを意味する。
【００３２】
図１は、本発明の一実施例に係るアンテナ取付け構造物１００の構成を示す斜視図である。
【００３３】
また、図２は、図１のＡ領域を拡大した拡大斜視図であり、図３は、本発明の一実施例に係るアンテナ取付け構造物１００が柵壁上に設けられた状態を示す側面図である。
【００３４】
図１ないし図３を参照すると、本発明の一実施例に係るアンテナ取付け構造物１００は、柵取付け部１１０、柵密着部１２０、取付け延長部１３０、及びアンテナ結合部１４０を含む。
【００３５】
一方、本発明の一実施例に係るアンテナ取付け構造物１００は、図１ないし図３に示すように「く」字状の柵壁上に最も設置に適合した構成で示す。
【００３６】
ただし、本発明の一実施例に係るアンテナ取付け構造物１００は、これと異なる形態、例えば、単純な垂直壁上にも設置が可能である。
【００３７】
一方、柵取付け部１１０は、柵壁の上面に取付け、これにより、本発明の一実施例に係るアンテナ取付け構造物１００は、柵壁の上面によって支持される。
【００３８】
また、柵取付け部１１０は、単体で構成してもよいが、図１ないし図３に示すように密着部接続体１１１及び延長部接続体１１２の分離体で構成し、その長さを調整する構成を有してもよい。
【００３９】
この時、密着部接続体１１１は、柵密着部１２０につながり、延長部接続体１１２は、取付け延長部１３０につながる。これにより、柵密着部１２０と密着部接続体１１１がつながれ、「г」状に形成され、取付け延長部１３０と延長部接続体１１２が「く」字状を形成する。
【００４０】
また、密着部接続体１１１は、延長部接続体１１２内に挿入され、挿入状態でスライドすることによって、柵取付け部１１０の長さが調整される。
【００４１】
これにより、柵壁上面の幅に合うように柵取付け部１１０の長さを調整できる。したがって、建物ごとに柵壁の大きさが一定でないにも関わらず、設置する柵壁のサイズに適合するように柵取付け部１１０の長さを調整してアンテナ取付け構造物１００を設けることができる。
【００４２】
具体的には、延長部接続体１１２上に柵取付け部１１０の長さを調整するための長いホールである長さ調整ホール１１４を形成する。
【００４３】
延長部接続体１１２上に長さ調整ホール１１４を形成することで、密着部接続体１１１の延長部接続体１１２に対する挿入程度を調整した後、長さ調整ホール１１４及び図示しない密着部接続体１１１上の結合ホールに固定ボルトを締結することにより、柵取付け部１１０の長さを適合に調整できる。
【００４４】
一方、柵取付け部１１０の一端領域、すなわち密着部接続体１１１の端部には、柵密着部１２０が柵取付け部１１０に垂直につながる。また、柵取付け部１１０の他端領域、すなわち延長部接続体１１２の端部には、取付け延長部１３０が柵取付け部１１０に垂直につながる。
【００４５】
この場合、柵取付け部１１０は、例示的に取付け延長部１３０及び柵密着部１２０とは別個の構成を有し、互いにボルチン結合する構成を図１に示したが、柵取付け部１１０は、先に説明した内容のように取付け延長部１３０または柵密着部１２０と一体に形成する構成も可能であることに注意しなければならない。
【００４６】
一方、図１に示すように、さらに柵取付け部１１０と柵壁上面との間に取付けパネル１１３を配置する。
【００４７】
この時、取付けパネル１１３を柵取付け部１１０と柵壁上面との間に配置することにより、取付けパネル１１３上に柵取付け部１１０の下面が緊密に支持されて柵取付け部１１０を安定的に支持することができる。
【００４８】
柵密着部１２０は、柵取付け部１１０のうち、柵壁外側上の一端領域に垂直に結合され、柵壁外側面上に密着する。
【００４９】
この時、柵密着部１２０の内側面の柵壁外側面に対する密着力は、下で詳しく説明する内容のように取付け延長部１３０の内側面の柵壁内側面に対する距離を調整することで調整することができる。
【００５０】
取付け延長部１３０は、垂直延長部１３１、第１の補助延長部１３２及び第２の補助延長部１３３を含む。
【００５１】
垂直延長部１３１は、柵取付け部１１０のうち、柵壁内側方向の端部領域に垂直に延長結合する。この時、垂直延長部１３１と柵密着部１２０は、柵壁を挟んで柵取付け部１１０から同じ方向に延びて平行に配置する。
【００５２】
第１の補助延長部１３２は、柵壁内側面に対向するように垂直延長部１３１に垂直に結合され、第１の接続手段１３２１を介して柵壁内側面に固定する。この時、第１の接続手段１３２１は、例示的に柵壁内側面に対する結合程度を調整することで、その端部から柵壁内側面までの距離を調整できる第１の接続ねじである。
【００５３】
この時、第１の接続手段１３２１の柵壁に対する結合程度または第１の接続手段１３２１の長さを調整することで、第１の補助延長部１３２と柵壁内側面との間の距離を調整することができる。
【００５４】
また、この場合、第１の補助延長部１３２が柵壁内側面から段々さらに離れるように第１の接続手段１３２１を調整することで、柵密着部１２０が柵壁外側面上にさらに密着することができる。
【００５５】
このような過程を経て、本発明の一実施例に係るアンテナ取付け構造物１００を柵壁上に強固に密着固定することができる。
【００５６】
一方、図２には、第１の接続手段１３２１が第１の補助延長部１３２の両側端部領域につながる構成を図示したが、第１の接続手段１３２１は、これとは異なる数または配列で配置することも可能である。
【００５７】
第２の補助延長部１３３は、柵壁天板の下面に隣接して垂直延長部１３１に垂直に結合する。また、第２の補助延長部１３３は、第２の接続手段１３３１によって柵壁天板の下面につながる。
【００５８】
一方、この時、第２の接続手段１３３１は、例示的に長さ調整または柵壁天板の下面上の締結状態に応じて、柵壁天板の下面からその端部までの距離を調整できる第２の接続ねじである。
【００５９】
この時、第２の接続手段１３３１の柵壁天板に対する結合状態または第２の接続手段１３３１の長さを調整することで、柵壁天板と第２の補助延長部１３３の距離を調整する。この場合、柵壁天板と第２の補助延長部１３３との間の距離が離れるほど柵壁上面に柵取付け部１１０がより緊密に密着する。
【００６０】
アンテナ結合部１４０は、柵密着部１２０または柵取付け部１１０上に結合され、アンテナ結合部１４０上にはアンテナ２００が結合されて支持される。
【００６１】
この時、アンテナ結合部１４０に結合したアンテナ２００は、下で詳しく説明する内容のように、その設置方向及び傾斜程度を調整することができる。
【００６２】
一方、上での説明において柵取付け部１１０、柵密着部１２０、及び取付け延長部１３０は、それぞれ個別の構成であるかのように述べたが、これは観念的なものに留まることに留意しなければならない。
【００６３】
つまり、柵取付け部１１０は、柵密着部１２０及び取付け延長部１３０のうちのいずれかと一体に形成した構成であってよく、柵取付け部１１０、柵密着部１２０、及び取付け延長部１３０は、すべて一体に形成した構成であってもよいことに注意しなければならない。
【００６４】
図４及び図５は、それぞれ、本発明の一実施例に係るアンテナ取付け構造物１００のアンテナ結合部１４０の構成を説明するための斜視図および側面図である。
【００６５】
図４を参照すると、本発明の一実施例に係るアンテナ取付け構造物１００のアンテナ結合部１４０は、下部結合体１４１及び上部結合体１４２を含む。
【００６６】
下部結合体１４１は、柵密着部１２０上に結合する。下部結合体１４１は、密着部結合体１４１１、結合ディスク１４１２、及び上部結合体固定部１４１３を含む。
【００６７】
密着部結合体１４１１は、柵密着部１２０に一面が結合し、その上面に結合ディスク１４１２が結合する空間を提供する。
【００６８】
結合ディスク１４１２は、密着部結合体１４１１及び密着部接続体１１１上に結合する。
【００６９】
一方、結合ディスク１４１２上に、その外周面に沿って延びた１つ以上の第１のローテティング結合ホール１４１４を含む。
【００７０】
この場合、固定ボルトが第１のローテティング結合ホール１４１４を貫通して結合ディスク１４１２を密着部結合体１４１１または密着部接続体１１１上の、図示しない結合ホールに締結することにより結合ディスク１４１２を密着部結合体１４１１及び密着部接続体１１１上に結合固定させる。
【００７１】
一方、結合ディスク１４１２を密着部結合体１４１１及び密着部接続体１１１上に固定させることにおいて、結合ディスク１４１２を第１のローテティング結合ホール１４１４に沿って回転配置することができる。これによって結果的に、アンテナ２００の回転配置が可能であり、アンテナ２００が適切な方向に配向するように設けることができる。
【００７２】
上部結合体固定部１４１３は、結合ディスク１４１２上に形成され、これに上部結合体１４２が結合する。
【００７３】
一方、上部結合体固定部１４１３上には上部結合体１４２上に形成した第２のローテティング結合ホール１４２１及び軸結合ホール１４２２の位置に対応する、図示しない結合ホールを形成する。
【００７４】
このとき、上部結合体１４２上の第２のローテティング結合ホール１４２１及び上部結合体固定部１４１３上の結合ホールを貫通する固定ボルトと上部結合体１４２上の軸結合ホール１４２２、及び上部結合体固定部１４１３上の結合ホールを貫通する固定ボルトによって上部結合体１４２は、下部結合体１４１に結合固定される。
【００７５】
上部結合体１４２上にアンテナ２００の端部が結合して支持される。また、上で説明したように上部結合体１４２は、下部結合体１４１の上部結合体固定部１４１３上に結合する。
【００７６】
上部結合体１４２上には長さを有して延びた円弧状の第２のローテティング結合ホール１４２１を形成する。このとき、上で述べたように固定ボルトが第２のローテティング結合ホール１４２１を貫通し、上部結合体固定部１４１３上に形成した、図示しない結合ホールに締結することにより、上部結合体１４２を下部結合体１４１上に結合固定する。
【００７７】
この時、第２のローテティング結合ホール１４２１が円弧状をなし、上部結合体１４２の下部結合体１４１に対する傾斜角度を調整することができる。
【００７８】
また、上部結合体１４２に形成した軸結合ホール１４２２を貫通して下部結合体１４１の上部結合体固定部１４１３につながる固定ボルトが上部結合体１４２の下部結合体１４１に対して傾斜時に回転軸の役割をする。
【００７９】
このように、上部結合体１４２の傾斜角度を調整することによって、結果的にアンテナ２００の傾斜角度を調整することができる。
【００８０】
このように、アンテナ２００の回転配置状態及びアンテナ２００の傾斜状態の調整が可能であり、本発明の一実施例に係るアンテナ取付け構造物１００によって、アンテナ２００の設置状態を適合に調整することができる。
【００８１】
図６ないし図８は、それぞれ、本発明の一実施例に係るアンテナ取付け構造物１００の角度調整部１５０が、第１の形態、第２の形態、及び第３の形態を有する構成を示したものである。
【００８２】
以下、図６ないし図８を参照し、本発明の一実施例に係るアンテナ取付け構造物１００の角度調整部１５０の各形態を説明する。
【００８３】
角度調整部１５０は、アンテナ２００の傾斜角度を調整するための構成で、アンテナ２００の上端部につながる角度調整ワイヤ１６０の長さを調整することにより、アンテナ２００の傾斜角度を調整することができる。
【００８４】
図６を参照すると、第１の形態で、角度調整部１５０はターンバックル１５１で構成する。
【００８５】
また、このとき、角度調整ワイヤ１６０は、アンテナ２００の上端部及びターンバックル１５１の一端部につながる第１のワイヤ１６１、そして柵取付け部１１０上のワイヤ固定部１６３及びターンバックル１５１の他端部につながる第２のワイヤ１６２を含む。
【００８６】
一方、この時、第１のワイヤ１６１の一端は、アンテナ２００の上端部に直接つながってもよく、図６に示すように、アンテナ２００の上端部につながる接続ボルト２１０につながってもよい。
【００８７】
このとき、ターンバックル１５１の両端には、第１のワイヤ１６１及び第２のワイヤ１６２がつながった状態であり、ターンバックル１５１を調整することで、第１のワイヤ１６１、ターンバックル１５１、及び第２のワイヤ１６２によってつながるアンテナ２００の上端部とワイヤ固定部１６３までの距離を調整することができる。
【００８８】
このように、アンテナ２００の上端部とワイヤ固定部１６３までの距離を調整することで、アンテナ２００の傾斜状態を調整することができる。
【００８９】
この場合、例えば、ターンバックル１５１は、一般的に使用するＪＩＳフレームターンバックルを使用することができる。
【００９０】
また、このとき、アンテナ２００のそれぞれの傾斜角度の値に対応するターンバックル１５１の長さの変化値は、あらかじめ設定した値であり、これを参考にしてアンテナ２００の設置時に、アンテナ２００の目標角度に傾斜させるためにターンバックル１５１の長さを適合に調整することができる。
【００９１】
ただし、第１の形態でアンテナ２００の傾斜角度調整範囲は、ターンバックル１５１の構造上制限的であるところ、このような限界は角度調整部１５０の第２の形態及び第３の形態で克服する。
【００９２】
図７には、本発明の一実施例に係るアンテナ取付け構造物１００の第２の形態にて、角度調整部１５０は、第１のハンドル１５３及びこれにより巻取りの程度が決まる第１の巻取ローラ１５２である構成を図示した。
【００９３】
この時、角度調整ワイヤ１６０の一端は、アンテナ２００の上部につながれ、角度調整ワイヤ１６０の他端領域は、第１の巻取ローラ１５２によって巻き取られる。
【００９４】
また、このとき、角度調整ワイヤ１６０は、柵取付け部１１０上のワイヤ取付け部１６４に取付けられる。
【００９５】
第１の巻取ローラ１５２は、第１のハンドル１５３を操作することで、角度調整ワイヤ１６０を巻き付け、この時の角度調整ワイヤ１６０の巻取り量は、第１のハンドル１５３の回転程度に対応する。また、これにより、アンテナ２００の傾斜角度も、第１のハンドル１５３の回転程度に対応する。
【００９６】
このような構成により、第１のハンドル１５３を、これに対応する程度で回転させることで、アンテナ２００の傾斜角度を適合に設定することができる。
【００９７】
一方、第１の巻取ローラ１５２上には第１の巻取ローラ１５２の巻取り程度を示すための複数の固定ホール１５２ａを形成し、それぞれの固定ホール１５２ａに固定するように固定ピン１５２ｂを形成する。
【００９８】
この時、固定ピン１５２ｂは、第１の巻取ローラ１５２の巻取り時に、それぞれの固定ホール１５２ａのうちのいずれかに固定することで、第１の巻取ローラ１５２の巻取り程度を知ることができる。
【００９９】
この時、それぞれの固定ホール１５２ａは、アンテナ２００の傾斜角度に対応するように設定することができる。
【０１００】
つまり、例えば、固定ピン１５２ｂが固定ホール１５２ａの１コマを移動した場合、アンテナ２００の傾斜角度は、１変化するように設定することができる。
【０１０１】
図８を参照すると、第３の形態は、角度調整部１５０がウォームギア構造で形成した。
【０１０２】
すなわち、第３の形態にて角度調整部１５０は、角度調整ワイヤ１６０が巻き取られる第２の巻取ローラ１５４、第２の巻取ローラ１５４につながるウォーム１５５、ウォーム１５５と噛合するウォームギア１５６、及びウォームギア１５６とつながる第２のハンドル１５７を含む。
【０１０３】
第３の形態では、ウォームギア１５６のギア比を介してアンテナ２００の傾斜角度をより細かく調整することができる。
【０１０４】
例えば、ウォームギア１５６のギア比が、もし２０：１であり、第２の巻取ローラ１５４が１回転したときに、アンテナ２００が１０傾斜すると仮定すると、ハンドルが１回転したときにアンテナ２００は０.５のみ傾斜することが分かる。
【０１０５】
このように、第３の形態では、第２の形態に比べてウォームギア１５６のギア比の程、アンテナ２００配置をより微調整が可能になるという長所がある。
【０１０６】
図９は、本発明の一実施例に係るアンテナ取付け構造物１００を複数個配置した接続構造物９００の形態を示すものである。
【０１０７】
図９を参照すると、本発明の一実施例に係る接続構造物９００は、複数の本発明の一実施例に係るアンテナ取付け構造物１００及び構造物接続体３００を含む。
【０１０８】
複数のアンテナ取付け構造物１００は、構造物接続体３００によってつながる。この時、構造物接続体３００は、隣接するアンテナ取付け構造物１００の取付けパネル１１３上に固定することで、隣接するアンテナ取付け構造物１００同士を接続固定する。
【０１０９】
このように、本発明の一実施例に係る接続構造物９００にてそれぞれのアンテナ取付け構造物１００は、柵壁上に密着固定するだけでなく、隣接するアンテナ取付け構造物１００と構造物接続体３００によってつながることでさらにもう一度固定される。
【０１１０】
このような構成を有することで、本発明の一実施例に係るアンテナ取付け構造物１００は、より安定的に固定することができる。
【０１１１】
また、この場合、構造物接続体３００を介して、本発明のアンテナ取付け構造物１００が互いに一定の間隔を置いて同じ形態で離間配置することで、審美感も形成することができるという長所がある。
【０１１２】
図１０は、本発明の他の実施例に係るアンテナ取付け構造物１１００の構成を示す斜視図であり、図１１は、本発明の他の実施例に係るアンテナ取付け構造物１１００のアンテナ結合部１１４０の構成を説明するための斜視図である。
【０１１３】
図１０を参照すると、本発明の他の実施例に係るアンテナ取付け構造物１１００は、本発明の一実施例に係るアンテナ取付け構造物１００のように柵取付け部１１１０、柵密着部１１２０、及び取付け延長部１１３０を含む。
【０１１４】
ただし、本発明の他の実施例に係るアンテナ取付け構造物１１００では、本発明の一実施例に係るアンテナ取付け構造物１００の構成とは異なり、アンテナ２００が柵壁外側面に沿って下方に延びるように配置する構成である。
【０１１５】
また、この時、アンテナ結合部１１４０は、本発明の一実施例に係るアンテナ取付け構造物１００のアンテナ結合部１４０とは異なり、アンテナ２００の一端領域に収容するカップ状に形成する。
【０１１６】
また、本発明の他の実施例に係るアンテナ取付け構造物１１００でもアンテナ結合部１１４０上でアンテナ２００の回転配置が可能になるように形成する。
【０１１７】
すなわち、図１１に示すように、アンテナ結合部１１４０は、そのカバーが開閉自在に構成され、そのカバーの内側に形成した、アンテナ２００に隣接して配置する面上に円弧状の第３のローテティング結合ホール１１４１を形成する。
【０１１８】
このとき、固定ボルトは、第３のローテティング結合ホール１１４１を貫通し、図示しないアンテナ２００の下面上に形成した結合ホールに締結する。
【０１１９】
この場合、第３のローテティング結合ホール１１４１に沿い、アンテナ２００は回転配置することができ、これにより、アンテナ２００の設置時に、アンテナ２００が適合な配向を有するようにすることができる。
【０１２０】
図１２は、本発明の他の実施例に係るアンテナ取付け構造物１１００を複数個配置した接続構造物１２００の形態を示すものである。
【０１２１】
図１２を参照すると、本発明の他の実施例に係る接続構造物１２００で、本発明の他の実施例に係るアンテナ取付け構造物１１００が複数個つながって配置される。
【０１２２】
この時、本発明の他の実施例に係る接続構造物１２００では、本発明の一実施例に係る接続構造物９００と同様に、構造物接続体３００により複数個のアンテナ取付け構造物１１００が接続配置される。
【０１２３】
この時、構造物接続体３００は、隣接する取付けパネル１１１３上に接続固定され、隣接するアンテナ取付け構造物１１００同士で固定されるように設けられ、これにより、アンテナ取付け構造物１１００がより安定的に支持される。
【０１２４】
以上の説明は、本実施例の技術思想を例示的に説明したものに過ぎず、本実施例の属する技術分野における通常の知識を有する者であれば、本実施例の本質的な特性から逸脱しない範囲で様々な修正や変形が可能である。したがって、本実施例は、本実施例の技術思想を限定するためのものではなく説明するためのものであり、このような実施例により、本実施例の技術思想の範囲が限定されるものではない。本実施例の保護範囲は請求の範囲によって解釈するべきであり、その同等の範囲内にあるすべての技術思想は、本実施例の権利範囲に含まれるものと解釈するべきである。
【０１２５】
［関連出願の参照］
本特許出願は、本明細書にその全体が参考として含まれる、２０１８年０７月１１日付にて韓国に出願した特許出願番号第１０-２０１８-００８０５４４号、及び２０１９年０７月０９日付にて韓国に出願した特許出願番号第１０-２０１９-００８２５６４号に対する優先権を主張する。
【符号の説明】
【０１２６】
１００：アンテナ取付け構造物
１１０：柵取付け部
１２０：柵密着部
１３０：取付け延長部
１４０：アンテナ結合部
１５０：角度調整部
【図１】
2021530910.tif 000003
【図２】
2021530910.tif 000004
【図３】
2021530910.tif 000005
【図４】
2021530910.tif 000006
【図５】
2021530910.tif 000007
【図６】
2021530910.tif 000008
【図７】
2021530910.tif 000009
【図８】
2021530910.tif 000010
【図９】
2021530910.tif 000011
【図１０】
2021530910.tif 000012
【図１１】
2021530910.tif 000013
【図１２】
2021530910.tif 000014
【国際調査報告】
2021530910.tif 000015
2021530910.tif 000016
2021530910.tif 000017
2021530910.tif 000018